(57)【要約】【課題】２以上のネットワークで提供される複数のサービスによる利用者の混乱等の防止に寄与できる情報送信装置を提供することである。【解決手段】実施形態の情報送信装置は、生成手段と、送信手段とを備える。前記生成手段は、第１のネットワークで提供される第１のサービス及び第２のネットワークで提供される第２のサービスであって、信号フォーマットが異なる同一番組を提供する前記第１及び第２のサービスに関するサービス情報を生成する。前記送信手段は、前記第１及び第２のネットワーク及びこれらと異なる第３のネットワークを含む複数のネットワークのうちの少なくとも一つのネットワークで、前記サービス情報を送信する。【選択図】図２
2015005917.tif 000002
【特許請求の範囲】
【請求項１】
第１のネットワークで提供される第１のサービス及び第２のネットワークで提供される第２のサービスであって、信号フォーマットが異なる同一番組を提供する前記第１及び第２のサービスに関するサービス情報を生成する生成手段と、
前記第１及び第２のネットワーク及びこれらと異なる第３のネットワークを含む複数のネットワークのうちの少なくとも一つのネットワークで、前記サービス情報を送信する送信手段と、
を備える情報送信装置。
【請求項２】
前記サービス情報は、前記第１のネットワークにより第１の画質の前記第１のコンテンツを提供し、前記第２のネットワークにより前記第１の画質と異なる第２の画質の前記第１のコンテンツを提供することを示す情報を含む請求項１の情報送信装置。
【請求項３】
前記サービス情報は、前記第１のネットワークにより第１の解像度の前記第１のコンテンツを提供し、前記第２のネットワークにより前記第１の解像度より高い第２の解像度の前記第１のコンテンツを提供することを示す情報を含む請求項２の情報送信装置。
【請求項４】
前記サービス情報は、前記第１のネットワークにより前記第１の解像度の第２のコンテンツを提供し、また、前記第２のネットワークにより前記第２の解像度の第３のコンテンツを提供することを示す情報を含む請求項３の情報送信装置。
【請求項５】
第１のネットワークで提供される第１のサービス及び第２のネットワークで提供される第２のサービスであって、信号フォーマットが異なる同一番組を提供する前記第１及び第２のサービスに関するサービス情報を生成し、
前記第１及び第２のネットワーク及びこれらと異なる第３のネットワークを含む複数のネットワークのうちの少なくとも一つのネットワークで、前記サービス情報を送信する情報送信方法。
【請求項６】
第１のネットワークで提供される第１のサービス及び第２のネットワークで提供される第２のサービスであって、信号フォーマットが異なる同一番組を提供する前記第１及び第２のサービスに関するサービス情報を受信する手段であって、前記第１及び第２のネットワーク及びこれらと異なる第３のネットワークを含む複数のネットワークのうちの少なくとも一つのネットワークで、前記サービス情報を受信する受信手段と、
前記サービス情報に基づき、提供されるサービスをガイドするサービスガイドを出力する出力手段と、
を備える情報受信装置。
【請求項７】
前記サービス情報は、前記第１のネットワークにより第１の解像度の前記第１のコンテンツを提供し、前記第２のネットワークにより前記第１の解像度より高い第２の解像度の前記第１のコンテンツを提供することを示す情報を含む請求項６の情報受信装置。
【請求項８】
前記サービス情報は、前記第１のネットワークにより前記第１の解像度の第２のコンテンツを提供し、また、前記第２のネットワークにより前記第２の解像度の第３のコンテンツを提供することを示す情報を含む請求項７の情報送信装置。
【請求項９】
第１のモードに対応する前記サービスガイドは、前記第１のネットワークにより提供される前記１の解像度の前記第２のコンテンツに関するガイドと、前記第２のネットワークにより提供される前記２の解像度の前記第１のコンテンツと前記第３のコンテンツに関するガイドとを含む請求項８の情報受信装置。
【請求項１０】
第２のモードに対応する前記サービスガイドは、前記第２のネットワークにより提供される前記２の解像度の前記第１のコンテンツと前記第３のコンテンツに関するガイドを含む請求項８又は９の情報受信装置。
【発明の詳細な説明】
【技術分野】
【０００１】
本発明の実施形態は、情報送信装置、情報送信方法、及び情報受信装置に関する。
【背景技術】
【０００２】
デジタルＴＶの高画質化が進み、2K1K（水平1920×垂直1080）と呼ばれるフルハイビジョン映像を表示するデジタルＴＶ（受信機）が大幅に普及している。また、近年では、50インチを超える大画面化の普及進展とともにフルハイビジョン映像の画質を超える4K2K（水平4000×垂直2000程度）の映像を表示するデジタルＴＶも登場し始めている。さらには、スーパーハイビジョンとも呼ばれている8K4K（水平8000×垂直4000程度）の映像を表示するＴＶについても検討されている。
【０００３】
これに伴い、国内では2014年以降は124/128度CSでの4K放送及び2016年以降に開始が想定されるBS/110度CSでの4K放送/8K放送の実現に向け検討が進められている。番組制作コストや既存受信機におけるサービス提供の互換性に配慮して、番組内容は同じだが映像解像度や符号化方式の異なる、複数の放送サービスがさまざまなネットワークで提供される機会が今後増加することが想定される。
【先行技術文献】
【非特許文献】
【０００４】
【非特許文献１】ARIB STD-B10  5.1版
【非特許文献２】ARIB TR-B27  1.0版
【発明の概要】
【発明が解決しようとする課題】
【０００５】
解像度等の信号フォーマットが異なる同一内容の複数の番組（複数の放送サービス）が２以上のネットワークで放送されている場合、一般には番組タイトルが同一など、これらの相違がにわかには識別しにくいため、利用者が混乱する可能性がある。例えば、チャンネル選択操作に対応して、同一内容の番組が複数回にわたり切換表示される。また、EPG（電子番組ガイド）上に、同一内容の番組が複数案内される。さらに、番組検索操作に対応して、検索結果として同一内容の番組が複数提示されてしまう。これらにより、利用者に煩雑さと混乱を与えることが予想され、これらの改善が期待されている。
【０００６】
本発明の目的は、２以上のネットワークで提供される複数のサービスによる利用者の混乱等の防止に寄与できる情報送信装置、情報送信方法、及び情報受信装置を提供することである。
【課題を解決するための手段】
【０００７】
実施形態の情報送信装置は、生成手段と、送信手段とを備える。前記生成手段は、第１のネットワークで提供される第１のサービス及び第２のネットワークで提供される第２のサービスであって、信号フォーマットが異なる同一番組を提供する前記第１及び第２のサービスに関するサービス情報を生成する。前記送信手段は、前記第１及び第２のネットワーク及びこれらと異なる第３のネットワークを含む複数のネットワークのうちの少なくとも一つのネットワークで、前記サービス情報を送信する。
【図面の簡単な説明】
【０００８】
【図１】実施形態に係る放送送受信システムの概略構成の一例を示す図である。
【図２】実施形態に係る情報送信装置の概略構成の一例を示す図である。
【図３】実施形態に係る情報受信装置の概略構成の一例を示す図である。
【図４Ａ】実施形態に係るサービス情報のデータ構造の一例を示す図である。
【図４Ｂ】実施形態に係るサービス情報に含まれるビデオストリームタイプのデータ構造の一例を示す図である。
【図４Ｃ】実施形態に係るサービス情報に含まれるビデオフォーマット（解像度等）のデータ構造の一例を示す図である。
【図５】実施形態に係るフルモードに対応するＥＰＧの表示例を示す図である。
【図６】実施形態に係る高画質優先モードに対応するＥＰＧの表示例を示す図である。
【図７】実施形態に係る高画質モードに対応するＥＰＧの表示例を示す図である。
【発明を実施するための形態】
【０００９】
以下、実施形態について図面を参照して説明する。
【００１０】
図１は、実施形態に係る放送送受信システムの概略構成の一例を示す図である。図１に示すように、放送送受信システムは、情報送信装置１ａ、情報送信装置１ｂ、及び情報受信装置２を備える。
【００１１】
例えば、情報送信装置１ａ（例えば放送局側のサーバ）は、第１のネットワークにより情報を送信し、情報送信装置１ｂ（例えば放送局側のサーバ）は、第２のネットワークにより情報を送信する。情報受信装置２は、第１のネットワーク介して情報送信装置１ａからの情報を受信し、この受信した情報を処理し、この処理した情報に基づき各種動作を制御したり、また処理した情報に基づきコンテンツを出力（表示）したりする。さらに、情報受信装置２は、第２のネットワーク介して情報送信装置１ｂからの情報を受信し、この受信した情報を処理し、この処理した情報に基づき各種動作を制御したり、また処理した情報に基づきコンテンツを出力（表示）したりする。情報受信装置２は、例えばデジタルＴＶ、又はデジタルレコーダである。
【００１２】
本実施形態では、２つのネットワークを介して情報を送信し、また受信する放送送受信システムについて説明するが、この放送送受信システムは、３つ以上のネットワークを介して情報を送信し、また受信することもできる。
【００１３】
図２は、情報送信装置１ａ及び１ｂの概略構成の一例を示す図である。図２に示すように、情報送信装置１ａは、映像信号入力部１０１、音声信号入力部１０２、字幕／文字スーパー入力部１０３、番組関連情報入力部１０４、映像符号化処理部１０５、音声符号化処理部１０６、ＳＩ（Service Information）生成部１０７、ＰＥＳ（Packetized Elementary Stream）化処理部１０８、１０９、１１０、セクション化処理部１１１、多重化処理部１１２、伝送路符号化処理部１１３、通信部１１４を備える。なお、情報送信装置１ｂの基本構成は、情報送信装置１ａと同じである。
【００１４】
映像信号入力部１０１は、映像符号化処理部１０５に対して映像信号を入力し、映像符号化処理部１０５は、映像信号を符号化する。ＰＥＳ化処理部１０８は、符号化された映像信号をＰＥＳに変換する。同様に、音声信号入力部１０２は、音声符号化処理部１０６に対して映像信号を入力し、音声符号化処理部１０６は、音声信号を符号化する。ＰＥＳ化処理部１０９は、符号化された音声信号をＰＥＳに変換する。
【００１５】
また、字幕／文字スーパー入力部１０３は、ＰＥＳ化処理部１１０に対して字幕／文字スーパーを入力し、ＰＥＳ化処理部１１０は、字幕／文字スーパーをＰＥＳに変換する。番組関連情報入力部１０４は、ＳＩ生成部１０７に対して番組関連情報を入力し、ＳＩ生成部１０７は、番組関連情報に基づきサービス情報（Service Information）を生成する。サービス情報については後に詳しく説明する。セクション化処理部１１１は、生成されたサービス情報をセクション化する。
【００１６】
多重化処理部１１２は、ＰＥＳ化処理部１０８、１０９、１１０、セクション化処理部１１１からの信号を多重化しＴＳ（Transport Stream）信号を生成し、伝送路符号化処理部１１３が、ＴＳ信号に基づき変調処理や誤り訂正符号化、さらにはフレーム同期処理など伝送路に応じて符号化された放送信号を生成し、通信部１１４が、放送信号を送信する。
【００１７】
例えば、情報送信装置１ａの通信部１１４は、第１のネットワークを介して、サービス情報及び番組（コンテンツ）を送信する。情報送信装置１ｂの通信部１１４は、第２のネットワークを介して、サービス情報及び番組（コンテンツ）を送信する。
【００１８】
図３は、情報受信装置２の概略構成の一例を示す図である。図３に示すように、情報受信装置２は、ＬＡＮ／モデム２０１、ＳＭ Ｉ／Ｆ２０２、ＰＳ（Program Stream）／ＴＳ（Transport Stream）処理部２０３、映像復号部２０４、音声復号部２０５、ＯＳＤ処理部２０６、入出力部２０７、ＮＶＲＡＭ２０８、ＲＯＭ２０９、ＲＡＭ２１０、ＣＰＵ２１１、ＨＤＤ２１２、セキュリティモジュール２１３、伝送路復号部２１４、デスクランブラ２１６を備える。
【００１９】
例えば、伝送路復号部２１４は、情報送信装置１ａ又は１ｂからの符号化された放送信号を受信し、伝送路復号し、多重化された信号を抽出する。ＰＳ／ＴＳ処理部２０３は、多重化された信号を分離し、映像信号に対応するＰＥＳ、音声信号に対応するＰＥＳ、字幕／文字スーパーに対応するＰＥＳ、サービス情報を抽出する。映像復号部２０４は、ＰＥＳ化された符号化された映像信号を復号し、復号された映像信号を出力する。音声復号処理部２０５は、符号化された音声信号を復号し、復号された音声信号を出力する。
【００２０】
字幕／文字スーパーはＯＳＤ処理部２０６へ出力される。
【００２１】
ＯＳＤ処理部２０６は、映像復号部２０４から出力された映像信号に、必要に応じて同期をとりながら字幕／文字スーパーを重畳して出力する。また、サービス情報等に基づきＥＰＧ（電子プログラムガイド）を生成し、映像信号に重畳して出力する。例えば、サービス情報は、一定期間（例えば8日間）において提供される全ての番組に関する情報を含む。つまり、サービス情報は、どのネットワークの、どのチャンネルの、どの時間にどのような番組を放送しているかを示す情報を含む。例えば、サービス情報に基づき、縦軸に時間、横軸にチャンネル番号を示す一覧表のＥＰＧで、どのチャンネルでどのような番組を放送しているかが示される。
【００２２】
次に、サービス情報の送受信処理について説明する。
【００２３】
実施形態に係る放送送受信システムの情報送信装置１ａ及び１ｂのうちの少なくとも一方が、サービス情報を送信する。例えば、情報送信装置１ａが、複数のネットワークのうちの少なくとも一つのネットワーク（例えば第１のネットワーク）により、サービス情報を送信する。或いは、情報送信装置１ｂが、複数のネットワークのうちの少なくとも一つのネットワーク（例えば第２のネットワーク）により、サービス情報を送信する。或いは、情報送信装置１ａが、複数のネットワークのうちの少なくとも一つのネットワーク（例えば第３のネットワーク）により、サービス情報を送信する。
【００２４】
サービス情報は、信号フォーマットが異なる同一番組（同一の番組内容）を提供する第１及び第２のサービスに関するサービス情報である。第１のサービスは、第１のネットワークで提供されるサービスであり、第２のサービスは、第２のネットワークで提供されるサービスである。即ち、サービス情報は、２以上のネットワークで提供される同一の番組内容のサービスに関する情報である。つまり、サービス情報は、異なるネットワークにまたがる複数の、信号フォーマットは異なるが同一の番組内容を提供するサービス、時としてサイマルキャストと呼ばれることもあるサービス間の関係を表す情報を含む。
【００２５】
情報送信装置１ａ及び１ｂのうちの少なくとも一方は、サービス情報を放送信号中に多重化して伝送する。或いは、情報送信装置１ａ及び１ｂのうちの少なくとも一方は、サービス情報を通信ネットワークを利用して伝送する。
【００２６】
例えば、情報送信装置１ａは、第１のネットワークにより、上記サービス情報を送信することができる。例えば、サービス情報は、第１のネットワークにより第１の品質の第１のコンテンツ（標準画質の第１のコンテンツ）を提供（放送）し、第２のネットワークにより第２の品質の第１のコンテンツ（高画質の第１のコンテンツ）を提供（放送）することを示す情報を含む。
【００２７】
より詳細には、当該サービス情報は、第１のネットワークの第１のチャンネルにより第１の画質の第１のコンテンツを提供し、第２のネットワークの第２のチャンネルにより第２の画質の第１のコンテンツを提供することを示す情報を含む。さらに詳細には、サービス情報は、第１のネットワークの第１のチャンネルにより第１の解像度の第１のコンテンツ（例えば2K1Kの解像度の標準画質の第１のコンテンツ）を提供し、第２のネットワークの第２のチャンネルにより第１の解像度より高い第２の解像度の第１のコンテンツ（例えば4K2Kの解像度の高画質の第１のコンテンツ）を提供することを示す情報を含む。
【００２８】
さらに、サービス情報は、第１のネットワークの第３のチャンネルだけで第１の解像度の第２のコンテンツを提供し、また、第２のネットワークの第４のチャンネルだけで第２の解像度の前記第３のコンテンツを提供することを示す情報を含む。
【００２９】
図４Ａは、実施形態に係るサービス情報のデータ構造の一例を示す図である。図４Ｂは、実施形態に係るサービス情報に含まれるビデオストリームタイプを示すデータ構造の一例を示す図である。図４Ｃは、実施形態に係るサービス情報に含まれるビデオフォーマット（解像度等）を示すデータ構造の一例を示す図である。
【００３０】
実施形態に係る放送送受信システムの情報受信装置２は、情報送信装置１ａ及び１ｂからの放送信号等を受信する。例えば、情報受信装置２は、情報送信装置１ａからの放送信号に含まれたサービス情報を検出し、サービス情報に基づき、提供されるサービスをガイドするサービスガイドを出力（表示）する。例えば、サービスガイドは、ＥＰＧ（電子番組ガイド）である。
【００３１】
例えば、情報受信装置２のＣＰＵ２１１は、サービス情報に基づき、チャンネル切換操作に対応して同じ内容で画質の異なるコンテンツを重複して選局しないようにチャンネルを切り換えることができる。また、情報受信装置２のＣＰＵ２１１は、サービス情報に基づき、番組検索操作に対応して同じ内容で画質の異なるコンテンツを重複して含まない番組検索結果を出力（表示）することができる。また、情報受信装置２のＣＰＵ２１１は、サービス情報に基づき、ＥＰＧ表示操作に対応して同じ内容で画質の異なるコンテンツを重複して含まないＥＰＧを出力（表示）することができる。
【００３２】
例えば、サービス情報が、以下の（１）〜（４）の情報を含むケースを想定する。
【００３３】
（１）所定時間帯に第１のネットワークの第１のチャンネル（例えばチャンネル１０１）により第１の解像度の第１のコンテンツ（例えば2K1Kの解像度の標準画質の第１のコンテンツ）を提供すること。
【００３４】
（２）所定時間帯に第２のネットワークの第２のチャンネル（例えばチャンネル２０１）により第１の解像度より高い第２の解像度の第１のコンテンツ（例えば4K2Kの解像度の高画質の第１のコンテンツ）を提供すること。
【００３５】
（３）所定時間帯に第１のネットワークの第３のチャンネル（例えばチャンネル１０２）だけで第１の解像度の第２のコンテンツ（例えば2K1Kの解像度の標準画質の第２のコンテンツ）を提供すること。
【００３６】
（４）所定時間帯に第２のネットワークの第４のチャンネル（例えばチャンネル２０２）だけで第１の解像度より高い第２の解像度の第３のコンテンツ（例えば4K2Kの解像度の高画質の第２のコンテンツ）を提供すること。
【００３７】
まず、選局におけるフルモードの設定時の動作について説明する。
【００３８】
例えば、情報受信装置２のＮＶＲＡＭ２０８にフルモードの設定が登録されている場合、ＣＰＵ２１１は、サービス情報に基づき、チャンネル切換操作に対応してチャンネル１０１、２０１、１０２、２０２を順に選局する。つまり、フルモード設定時には、全てのチャンネルを順に選局するので、チャンネル１０１とチャンネル２０１で同じ内容の第１のコンテンツが放送されている場合、チャンネル切換操作に対応して、高画質の第１のコンテンツを選局し、また、標準画質の第１のコンテンツも選局する。
【００３９】
また、情報受信装置２のＮＶＲＡＭ２０８に番組検索におけるフルモードの設定が登録されている場合、ＣＰＵ２１１は、サービス情報に基づき、番組検索操作（例えば第１のコンテンツのタイトルに基づく番組検索操作）に対応してチャンネル１０１の標準画質の第１のコンテンツと、チャンネル２０１の高画質の第１のコンテンツとを検索結果として出力する。
【００４０】
また、情報受信装置２のＮＶＲＡＭ２０８に番組情報表示におけるフルモードの設定が登録されている場合、ＣＰＵ２１１は、サービス情報に基づき、ＥＰＧ表示操作に対応してチャンネル１０１の第１のコンテンツ、チャンネル２０１の第１のコンテンツ、チャンネル１０２の第２のコンテンツ、チャンネル２０２の第３のコンテンツを含むＥＰＧを表示する。つまり、フルモード設定時には、全てのチャンネルを含むＥＰＧを表示する。図５は、フルモードに対応するＥＰＧの表示例を示す図である。
【００４１】
続いて、高画質優先モードの設定時の動作について説明する。
【００４２】
例えば、情報受信装置２のＮＶＲＡＭ２０８に高画質優先モードの設定が登録されている場合、ＣＰＵ２１１は、サービス情報に基づき、チャンネル切換操作に対応してチャンネル２０１、１０２、２０２を順に選局し、チャンネル１０１を選局しない。つまり、チャンネル１０１とチャンネル２０１で同じ内容の第１のコンテンツが放送されている場合、高画質の第１のコンテンツを選局し、標準画質の第１のコンテンツをスキップする。
【００４３】
また、情報受信装置２のＮＶＲＡＭ２０８に高画質優先モードの設定が登録されている場合、ＣＰＵ２１１は、サービス情報に基づき、番組検索操作（例えば第１のコンテンツのタイトルに基づく番組検索操作）に対応してチャンネル２０１の高画質の第１のコンテンツを検索結果として出力し、チャンネル１０１の標準画質の第１のコンテンツを検索結果として出力しない。
【００４４】
また、情報受信装置２のＮＶＲＡＭ２０８に高画質優先モードの設定が登録されている場合、ＣＰＵ２１１は、サービス情報に基づき、ＥＰＧ表示操作に対応してチャンネル２０１の第１のコンテンツ、チャンネル１０２の第２のコンテンツ、チャンネル２０２の第３のコンテンツを含むＥＰＧを表示する。表示されるＥＰＧは、チャンネル１０１の第１のコンテンツを含まない。つまり、チャンネル１０１とチャンネル２０１で同じ内容の第１のコンテンツが放送されている場合、高画質の第１のコンテンツを含み、標準画質の第１のコンテンツを含まないＥＰＧを表示する。なお、第２のコンテンツは標準画質の放送しかなく、また、第３のコンテンツは高画質の放送しかないので、ＥＰＧは、これら第２、第３のコンテンツを含む。図６は、高画質優先モードに対応するＥＰＧの表示例を示す図である。
【００４５】
続いて、高画質モードの設定時の動作について説明する。
【００４６】
例えば、情報受信装置２のＮＶＲＡＭ２０８に高画質モードの設定が登録されている場合、ＣＰＵ２１１は、サービス情報に基づき、チャンネル切換操作に対応してチャンネル２０１、２０２を順に選局し、チャンネル１０１、２０１を選局しない。つまり、高画質の第１のコンテンツ、第３のコンテンツを選局し、標準画質の第１のコンテンツ、第２のコンテンツをスキップする。
【００４７】
また、情報受信装置２のＮＶＲＡＭ２０８に高画質モードの設定が登録されている場合、ＣＰＵ２１１は、サービス情報に基づき、番組検索操作（例えば第１のコンテンツのタイトルに基づく番組検索操作）に対応してチャンネル２０１の高画質の第１のコンテンツを検索結果として出力し、チャンネル１０１の標準画質の第１のコンテンツを検索結果として出力しない。
【００４８】
また、情報受信装置２のＮＶＲＡＭ２０８に高画質モードの設定が登録されている場合、ＣＰＵ２１１は、サービス情報に基づき、ＥＰＧ表示操作に対応してチャンネル２０１の第１のコンテンツ、チャンネル２０２の第３のコンテンツを含むＥＰＧを表示する。表示されるＥＰＧは、チャンネル１０１の第１のコンテンツ、チャンネル１０１の第２のコンテンツを含まない。つまり、高画質の第１、第３のコンテンツを含み、標準画質の第１、第２のコンテンツを含まないＥＰＧを表示する。図７は、高画質モードに対応するＥＰＧの表示例を示す図である。
【００４９】
以下、実施形態についてまとめる。
【００５０】
実施形態に係る情報送信装置は、異なるネットワーク間での複数の、信号フォーマットは異なるが同一の番組内容を提供するサービスの関係を記述したサービス情報を送信する。これにより、複数のネットワークで提供される複数の同一サービスによる混乱等の防止に貢献できる。
【００５１】
また、実施形態に係る情報受信装置は、異なるネットワーク間での複数のサービスの関係を記述したサービス情報を受信し、受信したサービス情報に基づき、同一サービスを重複しないようにチャンネルを切り替えたり、同一サービスを重複しないように検索したり、同一サービスを重複して含まないＥＰＧを出力したりすることができる。これにより、複数のネットワークで提供される複数の同一サービスによる混乱等の防止に貢献できる。
【００５２】
上記ではサービス情報について説明したが、番組情報を記載する別の形式、たとえばARIB STD-B38に規定されるＸＭＬ形式のメタデータであってもよい。
【００５３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１ａ、１ｂ…情報送信装置、２…情報受信装置、１０１…映像信号入力部、１０２…音声信号入力部、１０３…字幕／文字スーパー入力部、１０４…番組関連情報入力部、１０５…映像符号化処理部、１０６…音声符号化処理部、１０７…ＳＩ生成部、１０８、１０９、１１０…ＰＥＳ化処理部、１１１…セクション化処理部、１１２…多重化処理部、１１３…伝送路符号化処理部、１１４…通信部、２０１…ＬＡＮ／モデム、２０２…ＳＭ Ｉ／Ｆ、２０３…ＰＳ／ＴＳ処理部、２０４…映像復号部、２０５…音声復号部、２０６…ＯＳＤ処理部、２０７…入出力部、２０８…ＮＶＲＡＭ、２０９…ＲＯＭ、２１０…ＲＡＭ、２１１…ＣＰＵ、２１２…ＨＤＤ、２１３…セキュリティモジュール、２１４…伝送路復号部、２１６…デスクランブラ
【図１】
2015005917.tif 000003
【図２】
2015005917.tif 000004
【図３】
2015005917.tif 000005
【図４Ａ】
2015005917.tif 000006
【図４Ｂ】
2015005917.tif 000007
【図４Ｃ】
2015005917.tif 000008
【図５】
2015005917.tif 000009
【図６】
2015005917.tif 000010
【図７】
2015005917.tif 000011